(57)【要約】【課題】  一台で使用する場合や二台を当接するように並べて使用する場合などでキャビネットの構成を変更できるベッド装置を提供する。【解決手段】  本発明のベッド装置１１は、ベッド本体部２１と、ベッド本体部２１の頭部側に位置する宮部２２と、を備え、宮部２２は少なくともマットレス２３側に開口する隙間を形成するように上下方向で対向して配置される天板４１および地板４２とを有する宮本体部４と、幅方向で開口４０の両側を塞ぐ位置に独立して宮本体部４に着脱可能な化粧部５と、を備えることを特徴とする。【選択図】  図１
2015043916.tif 000002
【特許請求の範囲】
【請求項１】
寝床部を有するベッド本体部と、
前記ベッド本体部の頭部側に位置する宮部と、を備え、
前記宮部は、少なくとも前記寝床部側に開口する隙間を形成するように上下方向で対向して配置される天板および地板とを有する宮本体部と、幅方向で前記開口の両側を塞ぐ位置に独立して前記宮本体部に着脱可能な化粧部と、を備える、ベッド装置。
【請求項２】
もう一つ前記ベッド装置を並べて当接するように配設した場合、
前記天板は、隣接する前記ベッド装置の前記天板とほぼ隙間なく当接できる形状をもつ、請求項１に記載のベッド装置。
【請求項３】
前記化粧部および前記宮本体部はそれぞれマグネットを有し、前記化粧部は前記マグネットによって前記宮本体部に着脱可能である、請求項１または２に記載のベッド装置。
【請求項４】
前記化粧部および前記宮本体部は、前記宮本体部に装着されている前記化粧部の幅方向の相対移動を規制する係合部および被係合部を有する、請求項１〜３の何れか１項に記載のベッド装置。
【請求項５】
前記宮本体部の前記マグネットは前記宮本体部に埋め込まれており、前記宮本体部は前記マグネットを覆い隠す隠覆部材を有する、請求項１〜４の何れか１項に記載のベッド装置。
【請求項６】
前記宮部は前記天板と前記地板との間で前記寝床部側よりも奥側に位置する背板を有し、
前記地板の前記天板側の面、前記背板の前記開口側の面、および前記隠覆部材は同色である、請求項１〜５の何れか１項に記載のベッド装置。
【発明の詳細な説明】
【技術分野】
【０００１】
本発明は、ベッド装置に関し、特に頭部側にキャビネット（宮）を備えたベッド装置に関する。
【背景技術】
【０００２】
一般に、ベッド装置は、上面にマットレスや布団が載置されるベッド本体を有する。このベッド本体の長手方向一端（頭部側）にはヘッドボードが設けられたり、他端にはフット−ボードが設けられたりする。ベッド装置の利用者は枕元に小物類を置きたい場合がある。そこで、ヘッドボードに代えてキャビネット（宮）を置き、このキャビネットの内部空間を小物類などの置き場所として利用できる、キャビネット付きのベッド装置がある。
【０００３】
例えば、特許文献１にはキャビネット付きのベッド装置が開示されており、キャビネットが分解組み立て可能である。また、非特許文献１にはキャビネットの両側に扉を有した収納スペースを備えたベッド装置が開示されている。
【０００４】
ところで、特許文献１のベッド装置も非特許文献１のベッド装置も二台を当接するように並べて設置した場合、キャビネットの構成がそれぞれ独立しており、大きなサイズの一台のベッド装置に見えにくい。また、特許文献１のベッド装置は、キャビネットの構成として、それぞれのベッド装置に天板や照明や棚の開口部があるため、部屋が煩雑に見える。キャビネットを分解することができるが連結金具などが使用されており、取り外すのは手間がかかり、構成を簡単に変更できない。そして、非特許文献１のベッド装置はキャビネットを取り外しができず、例え収納スペースの扉を外したとしても収納スペースを区切る仕切り板は残るため、垂直方向の要素が多く、部屋が煩雑に見える。更に、非特許文献１のベッド装置は収納扉のヒンジ付近には手が入りにくいため、キャビネットの掃除がし難い。
【先行技術文献】
【特許文献】
【０００５】
【特許文献１】特開２００２−３３６０８４号公報
【非特許文献】
【０００６】
【非特許文献１】“収納付きベッド｜Alloys（アロイス）日本製フレーム引き出し付きベッド（シングル）”、[online]、株式会社 イーナ（家具350事業部）、[平成２５年８月１日検索]、インターネット＜ＵＲＬ：http://kagu350.com//goods/g7077.html＞
【発明の概要】
【発明が解決しようとする課題】
【０００７】
本発明は、上記状況に鑑みてなされたもので、一台で使用する場合や二台を当接するように並べて使用する場合などでキャビネットの構成を変更できるベッド装置を提供することを解決すべき課題とする。
【課題を解決するための手段】
【０００８】
（１）上記課題を解決するための発明の構成上の特徴は、寝床部を有するベッド本体部と、
前記ベッド本体部の頭部側に位置する宮部と、を備え、
前記宮部は、少なくとも前記寝床部側に開口する隙間を形成するように上下方向で対向して配置される天板および地板とを有する宮本体部と、幅方向で前記開口の両側を塞ぐ位置に独立して前記宮本体部に着脱可能な化粧部と、を備えることである。
【０００９】
なお、頭部側とは利用者がベッド装置を使用する際、横になったときに利用者の頭が位置する側である。
【００１０】
上記（１）の発明は以下に記す（２）〜（６）の構成のうちの１つ以上を任意に加えて採用できる。
【００１１】
（２）もう一つ前記ベッド装置を並べて当接するように配設した場合、
前記天板は、隣接する前記ベッド装置の前記天板とほぼ隙間なく当接できる形状をもつ。
【００１２】
（３）前記化粧部および前記宮本体部はそれぞれマグネットを有し、前記化粧部は前記マグネットによって前記宮本体部に着脱可能である。
【００１３】
（４）前記化粧部および前記宮本体部は、前記宮本体部に装着されている前記化粧部の幅方向の相対移動を規制する係合部および被係合部を有する。
【００１４】
（５）前記宮本体部の前記マグネットは前記宮本体部に埋め込まれており、前記宮本体部は前記マグネットを覆い隠す隠覆部材を有する。
【００１５】
（６）前記宮部は前記天板と前記地板との間で前記寝床部側よりも奥側に位置する背板を有し、前記地板の前記天板側の面、前記背板の前記開口側の面、および前記隠覆部材は同色である。
【発明の効果】
【００１６】
（１）の発明においては、ベッド本体部の頭部側に位置する宮部が、ベッド本体部側に開口する宮本体部と、幅方向で開口の両側を塞ぐ位置に独立して着脱可能な化粧部とを有する。もう一つのベッド装置を並べて当接するように配設する際、当接する方の化粧部をそれぞれのベッド装置から取り外すことで、二台の宮部の内部が一続きになり、大きな一台のベッド装置のように見える。そして、並べて配設されていた二台のベッド装置を離したり、別の場所に配設したりする場合は、化粧部をそれぞれのベッド装置の両側に装着することで、一台のベッド装置として使用することができる。また、化粧部は開口を塞ぐように取り付けられるため、化粧部の裏手に隙間を設けることで、見せたくないものを化粧部の裏に隠すことができる。例えば、化粧部の裏手にコンセントを設け、各種の電源コードをコンセントと共に隠すことができる。また、化粧部の裏手に隙間を設けたとしても化粧部が着脱可能であるため、目隠しされたスペースの掃除もしやすい。
【００１７】
（２）の発明においては、並べて当接するように配設された二台のベッド装置の天板がほぼ隙間なく当接することができるため、二台のベッド装置の一体感が増し、一台の大きなベッド装置に見せることができる。
【００１８】
（３）の発明においては、化粧部の着脱がマグネットによるため、着脱が容易であり、宮部の構成を簡単に変更でき、更には着脱可能な構成も簡単である。
【００１９】
（４）の発明においては、化粧部の係合部と宮本体部の被係合部とが係合することで、化粧部の幅方向の移動が規制されるため、化粧部が位置決めされ、化粧部の横ずれを防止することができる。
【００２０】
（５）の発明においては、宮本体部のマグネットが宮本体部に埋め込まれているため、化粧部が離脱後の宮本体部に突起や出っ張りがない。また、マグネットは隠覆部材で隠されるため、ベッド装置の意匠性を損なわない。
【００２１】
（６）の発明においては、宮本体部の内部を構成する天板の地板側の面、地板の天板側の面、背板の開口側の面、および隠覆部材が同色であるため、化粧部を取り外して見える宮本体部の内部が同一色に統一される。そのため、ベッド装置を当接するように並べて設置した際、当接している側に位置するそれぞれの化粧部を取り外すことで、二台のベッド装置の宮本体部の内部が同一色に統一され、１つの宮部に見えるため、一台の大きなベッド装置に見えやすい。
【図面の簡単な説明】
【００２２】
【図１】実施形態１のベッド装置１１の斜視図である。
【図２】実施形態１のベッド装置１１の化粧部が着脱される宮部の一方を拡大した一部分解図である。
【図３】実施形態１のベッド装置１１の化粧部を裏側から視認した斜視図である。
【図４】実施形態１のベッド装置１１の化粧部が着脱される宮部の一方を拡大した垂直方向断面図である。
【図５】実施形態１のベッド装置１１の二台を当接して設置した斜視図である。
【図６】実施形態１のベッド装置１１の二台を当接して設置した斜視図で、配色に関してのイメージを説明するための説明図である。
【図７】実施形態２のベッド装置の化粧部を裏側から視認した斜視図である。
【図８】実施形態３のベッド装置の化粧部が着脱される宮部の一方を拡大した垂直方向断面図である。
【図９】実施形態４のベッド装置の化粧部が着脱される宮部の一方を拡大した垂直方向断面図である。
【発明を実施するための形態】
【００２３】
本発明の代表的な実施形態を図１〜図９を参照して説明する。なお、ベッド装置の幅方向は、頭部側（利用者がベッド装置に横になった状態で頭が位置する側）から足部側（利用者がベッド装置に横になった状態で足が位置する側）を見た場合の左を左方、右を右方とする。また、前後方向は足部側を前方、頭部側を後方とする。
【００２４】
（実施形態１）
本実施形態１のベッド装置１１は、図１に示すように、ボトム２１（ベッド本体部）と宮部２２とを備える。ボトム２１には、マットレス２３（寝床部）が載置されている。宮部２２は、ボトム２１の頭部側に位置し、天板４１と地板４２と背板４３と側板４４とからなり、ボトム２１側が開口している宮本体部４と、宮本体部４の開口４０を塞ぐように幅方向の両側に独立して配置された２つの化粧部５とを有する。また、宮部２２は、開口４０の下、ボトム２１との間に幕板４９を有する。１つの化粧部５は、図２および図３に示すように、４つのマグネット３１〜３４によって宮本体部４に脱着自在である。マグネット３１〜３４は、宮本体部４側と化粧部５側とにそれぞれ２つ、対応する位置に配置されており、宮本体部４のマグネット３１，３２は木口テープ（隠覆部材）で隠されて視認できない。
【００２５】
化粧部５は、ボトム２１側に面する正面５１から裏面５２に連続する側面の一方が前後方向に対して傾斜した形状の傾斜側面５３で、他方が前後方向に略平行な垂直側面５４で、垂直方向断面形状が略台形である。そして、化粧部５の前後方向厚さは、幕板４９とほぼ同じである。化粧部５は、宮本体部４の幅方向の中央側に傾斜側面５３が位置するように、宮本体部４の開口４０の両側に配置される。上下にそれぞれ、上面５５および下面５６よりも若干小さい形状の略台形で、上下方向の厚さの薄いスペーサー５７が配置されている。裏面５２には、対角に２つのマグネット３３，３４が埋め込まれており、幅方向で２つのマグネット３３，３４の間で垂直側面５４側に係合部６が固定されている。係合部６は、裏面５２から突出しており、上下端が化粧部５の上面５５および下面５６と同じで、上面５５および下面５６から飛び出していない。係合部６の上部６１は、下部６２よりも幅方向の厚みが小さく、垂直側面５４側が平らで傾斜側面５３側が階段状に段差を有する形状である。
【００２６】
宮本体部４は、図２に示すように、天板４１の裏面４１４から地板４２側に突出し、幅方向に延設された桟４５が天板４１に取り付けられている。桟４５の幅方向の両端部は、図４に示すように、側板４４に当接しておらず、側板４４との間に化粧部５の係合部６の上部６１が挿し込める間隙ｄを空けて側板４４から離れている。つまり、宮本体部４の側板４４と桟４５とで化粧部５の係合部６に係合する被係合部が形成される。桟４５の前後方向の厚さは、化粧部５の係合部６の前後方向の厚さよりも少し薄い。桟４５の厚さと係合部６の厚さは必ずしも異なる必要はなく、同じ厚さでもよい。桟４５よりも係合部５を長くすることで、化粧部５が前後方向以外の方向からの負荷に対して離脱しにくい。
【００２７】
前後方向で桟４５は、背板４３に当接しておらず、背板４３との間にスペースがある。化粧部５が宮本体部４に装着されると、化粧部５は幕板４９の上面４９２に位置し、宮本体部４の側板４４はボトム２１側から視認できない。そして、宮本体部４には、化粧部５と背板４３との間に、化粧部５で目隠しされ、ボトム２１側から視認しにくいスペースが設けられることになる。図２に戻って、２つのマグネットのうち、マグネット３１は桟４５のボトム２１側の面に前方から後方に埋め込まれており、木口テープ（隠覆部材）によって覆い隠されている。もう１つのマグネット３２は、側板４４のボトム２１側の面に前方から後方に埋め込まれており、木口テープによって覆い隠されている。
【００２８】
宮本体部４は、図１および図２に示すように、地板４２および側板４４の前後方向の長さが天板４１の前後方向の長さよりも幕板４９の厚さの分、短い。天板４１の正面４１１（ボトム２１側の面）と幕板４９の正面４９１（ボトム２１側の面）とが前後方向においてほぼ同じ位置である。そして、宮本体部４は、天板４１の幅方向の両端部と側板４４とが面一になるように、どちらも幅方向に出っ張っていない。更に、側板４４、幕板４９の側面４９３、ボトム２１の側面２１１も面一である。つまり、本実施形態１のベッド装置１１を並べて当接するように二台を設置する際、二台のベッド装置１１は宮部２２もベッド本体部２１もほぼ隙間なく当接することができる。
【００２９】
本実施形態のベッド装置１１は、二台を並べて当接して設置する際、当接する側の化粧部５をそれぞれのベッド装置１１から取り外すと、図５に示すように、化粧部５が二台のベッド装置１１を合わせた左右の両側に位置する構成となり、一台のベッド装置１１と同様の配置になる。そのため、二台の宮部２２の開口４０が連続したようになり、二台のベッド装置１１が一台の大きなベッド装置１１に見える。また、宮部２２の天板４１、側板４４、幕板４９もほぼ隙間なく当接しているため、より一台の大きなベッド装置１１に見える。また、化粧部５を取り外したことで一台のベッド装置１１として見えるだけでなく、宮部２２の構成要素が減り、ベッド装置１１も部屋もすっきりとする。
【００３０】
そして、化粧部５は、マグネット３１〜３４によって宮本体部４に着脱するため、簡単に装着と離脱とができ、更に化粧部５を取り外した宮本体部４側にねじ穴や金具が残らない。また、並べていた二台のベッド装置１１を離して別々に使う場合には、取り外していた化粧部５をそれぞれ装着することで、左右に化粧部５が配置され、違和感なく一台のベッド装置１１として使用することができる。
【００３１】
更に、化粧部５は係合部６を有し、宮本体部４は側板４４と桟４５との間の間隙ｄに係合部６が係合する構成である。そのため、化粧部５の着脱は前後方向に移動することででき、装着された化粧部５は幅方向への移動が規制される。また、意図しない接触による化粧部５の脱離も抑制できる。そして、係合部６を階段形状としたことで、宮本体部４の左右どちらに化粧部５をどのように装着するかを補助することができ、２つの化粧部５が左右で決まった側に装着されるのが望ましいデザインの場合、特に有効である。
【００３２】
図２に戻って、天板４１の裏面４１４（地板４２側の面）、地板４２の上面４２１（天板４１側の面）、および側板４４は上述した２つのマグネット３１，３２を覆い隠す木口テープと同じ色（柄）が配色されている。これらの場所は、ほぼ宮本体部４の内側に位置し、以下、内側配色部と称する。そして、宮本体部４の内側配色部以外、天板４１の正面４１１（ボトム２１側の面）、上面４１２、両側面４１３と、化粧部５の正面５１、両側面５３，５４と、幕板４９の正面４９１、上面４９２、両側面４９３とは、同じ色（柄）が配色され、内側配色部とは異なる配色である。このように配色することで、本実施形態のベッド装置１１は、二台を並べて当接するように配置する際、化粧部５が外されて開口４０から見える側板４４が内側配色部と同じ色となるため、開口４０が一続きに見えやすい効果が期待できる。更に、内側配色部は内側配色部以外の色よりも暗い色が望ましく、例えば黒色とし、内側配色部以外は内側配色部よりも明るい色が望ましく、例えば木目調の茶色とする。このように配色することで、二台を当接するように並べられたベッド装置１１は、図６に示すように、開口４０から見える部分が暗く、互いに当接する宮部２２の内部がより一続きに見える。なお、天板４１の裏面４１４は、上面４１２と同色でも良い。
【００３３】
その他に、宮本体部４に化粧部５が装着された状態の際の化粧部５によって目隠しされるスペースには、なくなると見つけにくい小物などを入れることができる。特に目隠しされるスペース部分の天板４１、地板４２、側板４４の内部側にコンセントを設けることで、携帯電話の電源コードなども一緒に隠すことができる。そして、掃除の際は、化粧部５が簡単に着脱できるため、裏側のスペースも簡単に掃除できる。
【００３４】
また、化粧部５を違う色や柄の化粧部５に交換することで、ベッド装置１１を買い換えずして、ベッド装置１１の見た目を変更することができる。
【００３５】
（実施形態２）
本実施形態２のベッド装置は、基本的な構成は実施形態１のベッド装置１１と同じ構成及び作用効果を有する。以下では、異なる構成を中心に説明していく。本実施形態２のベッド装置は、図７に示すように、化粧部５の係合部７が階段状ではない、幅方向の厚さの略一定の形状である。
【００３６】
（実施形態３）
本実施形態３のベッド装置は、基本的な構成は実施形態１のベッド装置１１と同じ構成及び作用効果を有する。以下では、異なる構成を中心に説明していく。
【００３７】
本実施形態３のベッド装置は、図８に示すように、化粧部５が宮本体部４の地板４２の上面４２１の上方に位置し、化粧部５の垂直側面５４が側板４４の宮本体部４の内側の内面４４１に当接する。幕板４９は地板４２の下方に位置し、幕板４９の上面４９２は視認できない。また、宮本体部４の桟４５は、側板４４の内面４４１に当接する。桟４５は、幅方向で間隙ｄを少なくとも２箇所設けられて、幅方向に延設されている。化粧部５は、係合部６の上部６１が桟４５の間隙ｄに前後方向で係脱され、係合している場合には幅方向の移動が規制される。
【００３８】
（実施形態４）
本実施形態４のベッド装置は、基本的な構成は実施形態１のベッド装置１１と同じ構成及び作用効果を有する。以下では、異なる構成を中心に説明していく。
【００３９】
本実施形態４のベッド装置は、図９に示すように、宮本体部４が桟４５を備えていない。そして、側板４４は上端が地板４２の下面に当接し、宮本体部４に化粧部８が装着されていない状態では、宮本体部４は幅方向にも開口した状態となる。化粧部８は、一方の側面８４が前後方向に略平行で、前後方向の厚さが背板４３から幕板４９の正面４９１まである。そして、化粧部８のもう一方の側面８３は、正面８１から裏面８２に向かって緩やかな曲線形状である。化粧部８は、前後方向に略平行な側面８４側を外側にするように宮本体部４に装着する。なお、ベッド装置の利用者の好みや部屋に合わせる等して、緩やかな曲線形状の側面８３を外側にすることもできる。
【００４０】
化粧部８の裏面８２は、宮本体部４の背板４３にほぼ当接するため、宮本体部４に化粧部８が装着された状態で、化粧部８の裏側にスペースはない。そこで、例えば化粧部８の内部を中空とし、上方が開口した収納スペースとしたり、内部にランプを設置したりすることもできる。化粧部８のマグネットは、裏面８２側に２つ、略対角上に取り付けられる。宮本体部４側のマグネットは、背板４３に、化粧部８側のマグネットに対応する位置に配置されている。なお、マグネットも上記の位置や個数に限定されず、例えば化粧部８の上下に１つずつとし、宮本体部４の天板４１と地板４２の対応する位置に１つずつでもよい。
【００４１】
本実施形態４のベッド装置によれば、二台のベッド装置を当接するように並べて配設し、中央に位置する化粧部８を取り除くと、二台の宮本体部４の開口４０が側板４４で仕切られない。二台の宮本体部４の内部が１つの空間となり、二台のベッド装置の一体感が増し、一台の大きなベッド装置になる。更には、宮本体部４の内部に長い物を置くことができたり、側板４４を気にせずに宮本体部４のどこでも物を置くことができたりする。
【００４２】
（その他の実施形態）
以上、本発明の好適な実施形態について説明したが、本発明は上記実施形態に限定されるものではない。例えば、化粧部の形状は、実施形態１の化粧部５や実施形態３の化粧部８に限定されず、矩形、正面が丸い垂直断面形状が半円形状など、様々な形状を採用することができる。また、スペーサー５７も必ずしも必須の部材ではなく、スペーサー５７の大きさや厚さも特に限定されないが、上面５５および下面５６よりも一回り小さく、厚さも薄く、色は暗色が好ましい。
【００４３】
また、マグネットの個数も全部で４つに限定されない。なお、化粧部５（８）側と宮本体部４側とのマグネットの数は同数が好ましいが、必ずしも同数に限定されない。更に、マグネットの位置も上記の場所に限定されず、天板４１や地板４２あるいは幕板４９など、宮本体部４の化粧部５（８）が装着されて、化粧部５（８）が当接する場所にマグネットを配置するのが好ましい。
【００４４】
その他に、幕板４９の高さは図示されているものに限定されない。少なくとも宮部４の開口４０がマットレス２３によって塞がれない高さがあるのが望ましい。また、ボトム２１の形状（種類）はフレームのないタイプや、フレーム内部が収納スペースになるタイプなど、図示されている四方がフレームで囲まれているものに限定されない。また、ベッド装置のサイズはシングルに限定されず、例えば、ダブルサイズを二台並べて設置することで、より大きな一台の豪華なベッド装置とすることもできる。
【００４５】
（付記項）
必要に応じて、以下の構成を採用することができる。
【００４６】
（１）前記宮部本体部は、前記化粧部が装着された状態で、前記化粧部によって視認しにくい位置に電源コンセントを有する。電源コンセントや電源コンセントに接続されているコードなどを隠すことができる。
【００４７】
（２）前記化粧部はライトを内部に配置可能である。化粧部は単なる宮部のデザインの１つだけでなく、ライトのように機能を持たせることもできる。
【００４８】
（３）前記地板の前記天板側の面、前記背板の前記開口側の面、および前記隠覆部材は、その他の部分よりも暗色である。二台のベッド装置を並べて当接するように配置する際、化粧部が外された部分も宮本体部の内部の暗色と同じ色となるため、開口４０が一続きに見えやすい効果が期待できる。
【００４９】
（４）前記化粧部のうち一方は前記化粧部の前記係合部は前記宮本体部の両側に位置する前記被係合部の一方に係合し、他方は前記化粧部の前記化粧部は前記宮本体部の他方に係合する。宮本体部の左右どちらに化粧部５をどのように装着するかを補助することができ、２つの化粧部が左右で決まった側に装着されるのが望ましいデザインの場合、特に有効である。
【符号の説明】
【００５０】
１１：ベッド装置
２１：ボトム（ベッド本体部）  ２２：キャビネット（宮部）  ２３：マットレス（寝床部）
３１〜３４：マグネット
４：宮本体部  ４０：開口  ４１：天板  ４２：地板  ４３：背板  ４４：側板
４５：桟  ４９：幕板
５、８：化粧部
６、７：係合部
【図１】
2015043916.tif 000003
【図２】
2015043916.tif 000004
【図３】
2015043916.tif 000005
【図４】
2015043916.tif 000006
【図５】
2015043916.tif 000007
【図６】
2015043916.tif 000008
【図７】
2015043916.tif 000009
【図８】
2015043916.tif 000010
【図９】
2015043916.tif 000011